【手続補正書】
【提出日】平成16年10月27日(2004.10.27)
【手続補正１】
【補正対象書類名】明細書
【補正対象項目名】発明の名称
【補正方法】変更
【補正の内容】
【発明の名称】文章要約方法及び文章要約装置
【手続補正２】
【補正対象書類名】明細書
【補正対象項目名】特許請求の範囲
【補正方法】変更
【補正の内容】
【特許請求の範囲】
【請求項１】
原文を短い文章にする文章要約方法において、文章を構成する構成単位毎に原文を保持し、さらに、上記構成単位毎の要約結果文を上記原文に対応付けて保持し、表示されている当該構成単位の要約結果文の原文出力が指示されたとき、保持された対応する原文を出力させることを特徴とする文章要約方法。
【請求項２】
請求項１の文章要約方法において、文章を構成する構成単位毎に、原文の長さに対する要約結果文の長さの割合を変えた複数の要約結果文を作成し、複数の要約結果文のなかのいずれかを選択出力可能にしたことを特徴とする文章要約方法。
【請求項３】
請求項１の文章要約方法において、文章を構成する構成単位毎に、原文の長さに対する要約結果文の長さの割合を変えた複数の要約結果文を作成し、指示に応じて、上記複数の要約結果文を長さの短い順に出力させるようにしたことを特徴とする文章要約方法。
【請求項４】
請求項１、請求項２または請求項３の文章要約方法において、原文中の指示された特定構成単位の原文の長さに対する要約結果文の長さの割合を、他の構成単位の割合と異ならせたことを特徴とする文章要約方法。
【請求項５】
請求項１、請求項２または請求項３の文章要約方法において、原文中の指示された特定構成単位の原文の長さに対する要約結果文の長さの割合を、１００パーセントまたは他の構成単位の割合より高くしたことを特徴とする文章要約方法。
【請求項６】
請求項１、請求項２または請求項３の文章要約方法において、原文中の最も重要な文あるいは部分を自動的に識別し、上記重要な文あるいは部分を含む特定構成単位の原文の長さに対する要約結果文の長さの割合を１００パーセントまたは他の構成単位の割合より高くしたことを特徴とする文章要約方法。
【請求項７】
請求項５または請求項６の文章要約方法において、原文中の指示された特定構成単位または重要な文あるいは部分を含む特定構成単位から離れた構成単位ほど原文の長さに対する要約結果文の長さの割合を低くしたことを特徴とする文章要約方法。
【請求項８】
請求項５または請求項６の文章要約方法において、原文中の指示された特定構成単位または重要な文あるいは部分を含む特定構成単位と意味的に近い構成単位、または上記特定構成単位に出現した単語と関連する構成単位、または関連する単語を含む構成単位の原文の長さに対する要約結果文の長さの割合を、上記特定構成単位を除く他の構成単位より高くしたことを特徴とする文章要約方法。
【請求項９】
原文を短い文章にする文章要約装置であって、少なくとも原文中のどの部分を要約するか決定したり、要約する割合を決定したりする要約制御部と、該要約制御部からの指示に基づき、文章の構成単位毎に、単語の出現頻度および言語表現によって前記原文よりも短い文に要約する要約処理部と、対象文章の原文やその要約結果文を、構成単位毎に保持しておく構造保持部と、前記原文または前記要約結果文を表示する表示部と、を備えていることを特徴とする文章要約装置。
【手続補正３】
【補正対象書類名】明細書
【補正対象項目名】０００１
【補正方法】変更
【補正の内容】
【０００１】
【発明の属する技術分野】
本発明は、文書処理システム、要約システム、読解支援システムなどで実行される原文を短い文章に要約する文章要約方法及び文章要約装置に係わり、特に、要約結果文に対応した原文を簡単な操作で見ることができる文章要約方法及び文章要約装置に関する。
【手続補正４】
【補正対象書類名】明細書
【補正対象項目名】０００３
【補正方法】変更
【補正の内容】
【０００３】
【発明が解決しようとする課題】
しかしながら、一部の文などを抽出して一つにまとめる上記の従来技術には、以下のような問題がある。第１に、文章の構造を考慮しても、抽出した文をまとめて一つの文章にするため、原文の構造が反映されず、結束性を欠き、わかりにくい。第２に、原文から抽出された部分（要約結果文）を読み、さらに詳しく知りたい、読みたい場合に、原文との対応がとれない、あるいはとりにくい。第３に、利用者の知りたい箇所とは関係なく情報の取捨選択が行われる。なお、特開平６−３５９６１号公報に示された技術では、要約文（要約結果文）が充分に短くならない。本発明の課題は、上記のような従来技術の問題を解決し、各章や部分毎の要約を見ることができ、要約結果文に対応した原文を容易に参照でき、さらに、利用者の知りたい箇所を考慮した要約ができる文章要約方法及び文章要約装置を提供することにある。
【手続補正５】
【補正対象書類名】明細書
【補正対象項目名】０００４
【補正方法】変更
【補正の内容】
【０００４】
【課題を解決するための手段】
上記の課題を解決するために、請求項１記載の発明では、原文を短い文章にする文章要約方法において、文章を構成する構成単位毎に原文を保持し、さらに、上記構成単位毎の要約結果文を上記原文に対応付けて保持し、表示されている当該構成単位の要約結果文の原文出力が指示されたとき、保持された対応する原文を出力させる方法にした。
また、請求項２記載の発明では、請求項１記載の発明において、文章を構成する構成単位毎に、原文の長さに対する要約結果文の長さの割合を変えた複数の要約結果文を作成し、複数の要約結果文のなかのいずれかを選択出力可能にした。
また、請求項３記載の発明では、請求項１記載の発明において、文章を構成する構成単位毎に、原文の長さに対する要約結果文の長さの割合を変えた複数の要約結果文を作成し、指示に応じて、上記複数の要約結果文を長さの短い順に出力させるようにした。
また、請求項４記載の発明では、請求項１、請求項２または請求項３記載の発明において、原文中の指示された特定構成単位の原文の長さに対する要約結果文の長さの割合を、他の構成単位の割合と異ならせた。
また、請求項５記載の発明では、請求項１、請求項２または請求項３記載の発明において、原文中の指示された特定構成単位の原文の長さに対する要約結果文の長さの割合を、１００パーセントまたは他の構成単位の割合より高くした。
また、請求項６記載の発明では、請求項１、請求項２または請求項３記載の発明において、原文中の最も重要な文あるいは部分を自動的に識別し、上記重要な文あるいは部分を含む特定構成単位の原文の長さに対する要約結果文の長さの割合を１００パーセントまたは他の構成単位の割合より高くした。
また、請求項７記載の発明では、請求項５または請求項６記載の発明において、原文中の指示された特定構成単位または重要な文あるいは部分を含む特定構成単位から離れた構成単位ほど原文の長さに対する要約結果文の長さの割合を低くした。
また、請求項８記載の発明では、請求項５または請求項６記載の発明において、原文中の指示された特定構成単位または重要な文あるいは部分を含む特定構成単位と意味的に近い構成単位、または上記特定構成単位に出現した単語と関連する構成単位、または関連する単語を含む構成単位の原文の長さに対する要約結果文の長さの割合を、上記特定構成単位を除く他の構成単位より高くした。
また請求項９の発明では、原文を短い文章にする文章要約装置であって、少なくとも原文中のどの部分を要約するか決定したり、要約する割合を決定したりする要約制御部と、該要約制御部からの指示に基づき、文章の構成単位毎に、単語の出現頻度および言語表現によって前記原文よりも短い文に要約する要約処理部と、対象文章の原文やその要約結果文を、構成単位毎に保持しておく構造保持部と、前記原文または前記要約結果文を表示する表示部と、を備えるようにした。
【手続補正６】
【補正対象書類名】明細書
【補正対象項目名】０００５
【補正方法】変更
【補正の内容】
【０００５】
【作用】
上記のような手段にしたので、請求項１記載の発明では、文章を構成する構成単位毎に原文が保持され、さらに、上記構成単位毎の要約結果文が上記原文に対応付けて保持され、表示されている当該構成単位の要約結果文の原文出力が指示されると、保持された対応する原文が出力される。
請求項２記載の発明では、請求項１記載の発明において、文章を構成する構成単位毎に、原文の長さに対する要約結果文の長さの割合を変えた複数の要約結果文を作成し、上記複数の要約結果文のなかのいずれかを出力させることができる。
請求項３記載の発明では、請求項１記載の発明において、文章を構成する構成単位毎に、原文の長さに対する要約結果文の長さの割合を変えた複数の要約結果文を作成し、指示に応じて、上記複数の要約結果文を長さの短い順に出力させることができる。
請求項４記載の発明では、請求項１、請求項２または請求項３記載の発明において、原文中の指示された特定構成単位の原文の長さに対する要約結果文の長さの割合を、他の構成単位の割合と異ならせることができる。
請求項５記載の発明では、請求項１、請求項２または請求項３記載の発明において、原文中の指示された特定構成単位の原文の長さに対する要約結果文の長さの割合を、１００パーセントまたは他の構成単位の割合より高くすることができる。
請求項６記載の発明では、請求項１、請求項２または請求項３記載の発明において、原文中の最も重要な文あるいは部分を自動的に識別し、上記重要な文あるいは部分を含む特定構成単位の原文の長さに対する要約結果文の長さの割合を１００パーセントまたは他の構成単位の割合より高くすることができる。
請求項７記載の発明では、請求項５または請求項６記載の発明において、原文中の指示された特定構成単位または重要な文あるいは部分を含む特定構成単位から離れた構成単位ほど原文の長さに対する要約結果文の長さの割合が低くなる。
請求項８記載の発明では、請求項５または請求項６記載の発明において、原文中の指示された特定構成単位または重要な文あるいは部分を含む特定構成単位と意味的に近い構成単位、または上記特定構成単位に出現した単語と関連する構成単位、または関連する単語を含む構成単位の原文の長さに対する要約結果文の長さの割合が、上記特定構成単位を除く他の構成単位より高くなる。
また請求項９の発明では、要約制御部からの指示に基づき要約処理部において文章の構成単位毎に原文よりも短い文に要約結果文を作成したうえで、構造保持部に対象文章の原文やその要約結果文を構成単位毎に保持しておくことで、表示部により原文または要約結果文を表示することが可能になる。
【手続補正７】
【補正対象書類名】明細書
【補正対象項目名】００１６
【補正方法】変更
【補正の内容】
【００１６】
【発明の効果】
以上説明したように、本発明に係る請求項１記載の発明では、文章を構成する構成単位毎に原文が保持され、さらに、上記構成単位毎の要約結果文が上記原文に対応付けて保持され、表示されている当該構成単位の要約結果文の原文出力が指示されると、要約結果文に対応し、保持された原文が出力されるので、各章や部分毎の要約を見ることができ、且つ要約結果文に対応した原文を容易に参照できる。
また、請求項２記載の発明では、請求項１記載の発明において、文章を構成する構成単位毎に、原文の長さに対する要約結果文の長さの割合を変えた複数の要約結果文を作成し、利用者の指示により上記複数の要約結果文のなかのいずれかを出力させることができるので、利用者は知りたい詳細さの要約結果文を見ることができる。
また、請求項３記載の発明では、請求項１記載の発明において、文章を構成する構成単位毎に、原文の長さに対する要約結果文の長さの割合を変えた複数の要約結果文を作成し、指示に応じて、上記複数の要約結果文を長さの短い順に出力させることができるので、利用者は望むならばより詳細な要約結果文へと読み進むことができ、要約結果文を読むことを所望の詳細さまででやめることができる。
また、請求項４記載の発明では、請求項１、請求項２または請求項３記載の発明において、原文中の指示された特定構成単位の原文の長さに対する要約結果文の長さの割合を、他の構成単位の割合と異ならせることができるので、利用者の知りたい箇所を考慮した要約ができる。
また、請求項５記載の発明では、請求項１、請求項２または請求項３記載の発明において、原文中の指示された特定構成単位の原文の長さに対する要約結果文の長さの割合を、１００パーセントまたは他の構成単位の割合より高くすることができるので、同様に利用者の知りたい箇所を考慮した要約ができる。
また、請求項６記載の発明では、請求項１、請求項２または請求項３記載の発明において、原文中の最も重要な文あるいは部分を自動的に識別し、上記重要な文あるいは部分を含む特定構成単位の原文の長さに対する要約結果文の長さの割合を１００パーセントまたは他の構成単位の割合より高くすることができるので、文書を効率的に読むことができる。
また、請求項７記載の発明では、請求項５または請求項６記載の発明において、原文中の指示された特定構成単位または重要な文あるいは部分を含む特定構成単位から離れた構成単位ほど原文の長さに対する要約結果文の長さの割合が低くなるので、全体の構成や見通しを考慮しながら、文書を効率的に読むことができる。
また、請求項８記載の発明では、請求項５または請求項６記載の発明において、原文中の指示された特定構成単位または重要な文あるいは部分を含む特定構成単位と意味的に近い構成単位、または上記特定構成単位に出現した単語と関連する構成単位、または関連する単語を含む構成単位の原文の長さに対する要約結果文の長さの割合が、上記特定構成単位を除く他の構成単位より高くなるので、関心の高い箇所や重要箇所を効率よく読むことができ、且つそれらの箇所に関連する箇所も効率よく読むことができる。
また請求項９記載の発明によれば、要約制御部からの指示に基づき要約処理部において文章の構成単位毎に原文よりも短い文に要約結果文を作成したうえで、構造保持部に対象文章の原文やその要約結果文を構成単位毎に保持しておくことで、表示部により原文または要約結果文を表示することが可能になるので、各章や部分毎の要約を見ることができ、且つ要約結果文に対応した原文を容易に参照できる。